(57)【特許請求の範囲】
【請求項１】
ビット頭部の装着穴内には、ボタン状の超硬チップが植え込まれ、この超硬チップの先端部分がビット頭部の端面から突出するようになっている穿孔用ビットにおいて、
前記ビット頭部の最外周側に位置する装着穴は、外周縁の一部が切り欠かれ、この装着穴内にある前記超硬チップは、その植え込み部分の一部がビット頭部の外周面から突出することにより、穿孔時には、穴壁に対するゲージ機能が付加されるようにしたことを特徴とする穿孔用ビット。
【請求項２】
前記ビット頭部の端面は、環状面または略円形面を形成している請求項１記載の穿孔用ビット。
【請求項３】
前記超硬チップは、前記装着穴内では、ろう付けによって固着されるようにした請求項１または請求項２記載の穿孔用ビット。
【請求項４】
前記ビット頭部の最外周部分に位置する超硬チップは、植え込み部分の直径が、最外周部分よりも内側に位置する超硬チップにおける植え込み部分の直径よりも大きく設定されている請求項１〜請求項３記載の穿孔用ビット。
【発明の詳細な説明】
【０００１】
【発明の属する技術分野】
本発明は、岩盤、砂礫層などに適用される穿孔用ビットに関し、特に、ビット頭部の最外周側に位置する超硬チップには、穿孔時の穴壁に対するゲージ機能が付加されるようにしたものである。
【０００２】
【従来の技術】
従来、この種の穿孔用ビットは、ビット頭部が穿孔方向側で、略円形面を呈するようにした場合及び環状面を呈する場合があり、前者に属するものとして、例えば、特公昭45−10401号公報など、後者に属するものとして、特開平５−149074号公報などが開示されている。
【０００３】
前者の衝撃ビットは、ビット頭部の最外周側にある超硬チップ及びこれよりも内側にある超硬チップの２つに区分し、最外周側の超硬チップの先端部分をビット頭部の外周面から突出させることによりゲージ機能を持たせたものである。
【０００４】
また、後者のリングビットは、先端側の超硬チップに対して、ビット頭部の外周側にゲージ機能をもつ補助チップが備えられるようにしたものである。
【０００５】
【発明が解決しようとする課題】
しかしながら、前者の衝撃ビットは、通常最外周側にある超硬チップの摩耗が他の部分にある超硬チップよりも大きくなることから、植え込み個数、突出量などの関係が岩盤等に対して適当でないと、これが原因で短寿命になるという問題点を有している。
【０００６】
また、後者のリングビットは、補助チップの配置によって、ゲージ機能が高められているが、先端側の超硬チップが摩耗すれば、この時点で寿命に至るという問題点を有している。
【０００７】
このようなことから、本発明では、上述した問題点を解消するため、ビット頭部の最外周部分にある超硬チップには、有効なゲージ機能が付加され、さらには他の超硬チップの摩耗と同程度になるようにしたものである。
【０００８】
【課題を解決するための手段】
本発明は、上述の点に鑑みなされたもので、ビット頭部の装着穴内には、ボタン状の超硬チップが植え込まれ、この超硬チップの先端部分がビット頭部の端面から突出するようになっている穿孔用ビットを改善して、有効なゲージ機能が得られるようにしたものである。
【０００９】
すなわち、前記ビット頭部の最外周側に位置する装着穴は、外周縁の一部が切り欠かれ、この装着穴内にある前記超硬チップは、その植え込み部分の一部がビット頭部の外周面から突出して、穿孔時に穴壁に対するゲージ機能を持つように構成したものである。この場合、前記ビット頭部の端面は、略円形面または環状面を形成している穿孔用ビットに適用されるが、前記超硬チップは、装着穴内では、植え込み強度上、ろう付けによって固着されることが好ましい。
【００１０】
また、前記ビット頭部の最外周部分に位置する超硬チップは、植え込み部分の直径が、最外周部分よりも内側に位置する超硬チップにおける植え込み部分の直径よりも大きく設定できるため均一摩耗による寿命が期待できるものである。
【００１１】
【発明の実施の形態】
以下、本発明穿孔用ビットの一実施例について、図を参照しながら説明する。
【００１２】
図１乃至図４において、本発明の穿孔用ビット１は、ビット頭部２及び胴部３からなり、ビット頭部２の略円形状を呈する端面2aには、ボタン状の超硬チップ４が外周部分及び内側部分に分かれて植え込まれている。
【００１３】
この超硬チップ４は、ビット頭部２の端面2aから、その先端部分4aが突出するが、この形状としては、図示のような最先端を平面とした二段円錐状や、図示しない半球状、最先端を丸めたテーパ状、最先端を平面とした角錐状などが適宜選択される。そして、この超硬チップ４は、ビット頭部２の端面2aに穿設された装着穴５内に植え込まれ、通常圧入、ろう付けなどによって固定される。
【００１４】
また、前記ビット本体２は、前記超硬チップ４の掘削作用により発生する掘削屑を排出するため、端面2a及び外周部分2bの交叉部分には、２個配列になっている超硬チップ4aに対して排出溝６，７が形成され、端面2aの内側部分には、胴部３の後方から穿設された連結穴８に連通するエアー又は注水のための開口９，10がそれぞれ形成されている。
【００１５】
ところで、前記ビット頭部２の端面2aで最外周側に位置する装着穴５は、図示の場合、傾斜面部分に穿設されているが、ビット頭部２の外周部分2bの外周縁が一部切り欠かれる。
【００１６】
そして、この装着穴５内にある超硬チップ４は、図１、図３及び図４で明示されているように、その植え込み部分4bの一部がビット頭部２の外周部分2bから突出するようになっている。これは、超硬チップ４の外周部分2bから突出する部分が、穿孔時の穴壁に対するゲージ機能を有するようにしたものである。
【００１７】
すなわち、従来品では、ビット頭部２の最外周部分に位置する装着穴５は、ビット頭部２の外周部分2bを切り欠かかないように、装着穴５の中心位置を決めているため、超硬チップ４にゲージ機能を持たせるには、先端部分4aの突出量を大きくしなければならないものである。
【００１８】
これに対し、本発明の穿孔用ビット１は、図４で示されているように、外周縁の切り欠き許容から、装着穴５の中心が外周部分2b側に片寄せられているため、突出量を大きくしなくてもすむことになるのである。
【００１９】
また、この装着穴５の直径を内側のものよりも大きくすれば、超硬チップ４のゲージ機能をさらに高めることができる。
【００２０】
このようにして構成された本発明の穿孔用ビット１は、最外周側に位置する超硬チップ４には、通常みられる先端部分4aの突出量でゲージ機能が付加されるものである。この場合、前述した最外周側に位置する超硬チップ４についても、２個配列に限らず適宜変更できるものである。
【００２１】
図５乃至図７は、本発明穿孔用ビットにおける他の実施例を示したもので、ビット頭部２の端面2aが環状面を呈するリングビットに適用したものである。
【００２２】
そして、この穿孔用ビット１は、同一部分には同一符号を付して説明するが、図示の場合、前記超硬チップ４が、ビット頭部２の環状を呈する端面2aでは、外周側及び内周側において２：１の割合で分けられ、外周側及び内周側に向かう傾斜部分にそれぞれ穿設された装着穴５内に植え込まれている。
【００２３】
さらに、外周側の傾斜部分に位置する装着穴５は、前述した穿孔用ビット１と同様、図７で明示されているように、ビット頭部２の外周部分2bにおける外周縁の一部が切り欠かれている。また、これに伴って外周側に位置する超硬チップ４の先端部分4aは、図６で明示されているように、外周部分2bから突出してゲージ機能を持つように構成される。この場合、外周側の超硬チップ４は、前述したように、内周側の超硬チップ４よりも植え込み部分4bの直径を大きくして、掘削機能を増加することができる。
【００２４】
また、ビット頭部２には、超硬チップ４の作用により発生する掘削屑の排出を円滑にするため、三つの部分からなる排出溝12a, 12b, 12cが形成されている。
【００２５】
なお、超硬チップ４における先端部分4aの形状は、前述した穿孔用ビット１と同様、半球状、先端を丸めたテーパ状など適宜変更できるものである。
【００２６】
また、このリングビット１は、ビット頭部２の内周側に、他のビット（図示せず）を組み込む場合もあるが、単独で使用する場合においては、内周側の装着穴４についても、内周縁の一部を切り欠くように構成することができる。
【００２７】
【発明の効果】
本発明は、以上説明したように、ビット頭部２の端面2aで最外周側に穿設された装着穴４は、ビット頭部２の外周縁が一部切り欠かれ、しかもこの装着穴４内に植え込まれる超硬チップ４における植え込み部分4aの一部がビット頭部２の外周部分2bから突出するようにしたものである。
【００２８】
したがって、本発明の穿孔用ビット１は、最外周側に位置する超硬チップ４には、穿孔時の穴壁に対するゲージ機能が付加されることから、岩盤、砂礫層などにおける地層の穿孔作業では、掘削効率が向上するという利点を有する。
【００２９】
【図面の簡単な説明】
【図１】本発明穿孔用ビットの一実施例を示す要部の正面図である。
【図２】本発明穿孔用ビットの平面図である。
【図３】本発明穿孔用ビットの正面図である。
【図４】本発明穿孔用ビットの断面図である。
【図５】本発明穿孔用ビットの他の実施例を示す平面図である。
【図６】本発明穿孔用ビットの正面図である。
【図７】本発明穿孔用ビットの要部を示す斜視図である。
【符号の説明】
１  穿孔用ビット
２  ビット頭部
2a  端面
2b  外周部分
３  胴部
４  超硬チップ
4a  先端部分
4b  植え込み部分
５  装着穴
６  排出溝
７  排出溝
８  連結穴
９  開口
10  開口
【図１】
0004511060.tif 000002
【図２】
0004511060.tif 000003
【図３】
0004511060.tif 000004
【図４】
0004511060.tif 000005
【図５】
0004511060.tif 000006
【図６】
0004511060.tif 000007
【図７】
0004511060.tif 000008